(57)【要約】【課題】  被看護者の身辺に設置して、前記被看護者に一日の生活リズムを音声で伝えることにより、生活リズムの意識付けと維持を図る生活リズム報知器を提供する。【解決手段】  所定形状の筐体に、一日の行動を報知する報知時間の設定及び時間表示が可能な時計部、音声の録音と再生が可能で音声及び表示灯で行動を促す報知部、時間設定と音声設定を行う操作部、各機器を制御する制御部及び電源が組込まれている。報知設定時刻に、その行動を促すための音声報知及び表示灯が点滅する。被看護者は、前記報知を聞き逃しても、表示灯が点滅しているので、当該表示灯を押して再生することができる。また、この生活リズム報知器にはインターネットカメラが装着されており、インターホン装置やナースコール装置に組み込んで、被看護者を看護することができる。【選択図】  図３
0003170918.tif 000002
【実用新案登録請求の範囲】
【請求項１】
一日の行動を報知する報知時間の設定および時間表示が可能な時計部と、
音声の録音と再生が可能であり音声および表示灯で行動を促す報知部と、
時間設定と音声設定を行なう操作部と、
前記時計部、報知部および操作部を制御する制御部と、
電源が筐体に収納されており、
前記行動の報知設定時間になると、その行動を促すための音声報知および表示灯が点滅し、当該表示灯はリセットボタンが押されるまでは点滅が継続され、音声によって１日の生活リズムが指示されることにより、被看護者がその行動を受け入れるようしたことを特徴とする生活リズム報知器。
【請求項２】
前記筐体には、ウエブサーバ機能を内蔵したネットワークカメラが設けられており、遠隔地にある情報端末機器で被看護者の映像が見られることを特徴とする請求項１に記載の生活リズム報知器。
【請求項３】
前記筐体には、無線インターホンの子機が設けられており、親機と相互通信が可能であることを特徴とする請求項１または２に記載の生活リズム報知器。
【請求項４】
前記筐体には、ナースコールシステムに接続されたナースコール子機に有線または無線通信する押しボタンスイッチが設けられており、ナースコールシステムに組み込まれたナースコール主装置または携帯型ナースコール子機との相互通信が可能であることを特徴とする請求項１〜３いずれかに記載の生活リズム報知器。
【考案の詳細な説明】
【技術分野】
【０００１】
本考案は、独居老人や軽度の認知症患者の身辺に設置して、前記独居老人等に一日の生活リズムを音声で伝えることにより、生活リズムの意識付けと維持を図る生活リズム報知器に関するものである。
【背景技術】
【０００２】
独居老人や軽度の認知症患者は、在宅や介護施設等における生活において時間の感覚が失われ、生活のリズムがわからなくなり、ときには朝、昼、夜という時間感覚が低下して食事や服薬等の時間が判らなくなる。そこで、このような独居老人等の生活リズムを保つようにする器具が考えられている（例えば、特許文献１、特許文献２参照。）。
【先行技術文献】
【特許文献】
【０００３】
【特許文献１】特開２００７−２８５９８１号公報
【特許文献２】特開２００２−１７２２７４号公報
【考案の開示】
【考案が解決しようとする課題】
【０００４】
特許文献１に開示された生活リズム人形は、人形の中に、電源と、時計を内蔵したコンピュータと、音声録音用のマイクロフォンと、録音再生装置およびスピーカとを内蔵させ、両方の手のひらに操作スイッチを設けて、人形との会話によって１日の生活のリズムが指示されるものである。しかしながら、使用者は頻繁に人形に触れる必要があり、当該人形の右手または左手を握ってスイッチを入れなければ、生活リズムの音声報知がなされないという問題点があった。
【０００５】
また、特許文献２に開示されたセラピー玩具は、外観を人形や動物のぬいぐるみとしたもので、設定時刻になると記憶した月、曜日に対応するメロディー、曜日メッセージ、その時刻に対する設定生活メッセージを発生させ、使用者がこれに応答（スイッチをオン）するまでメッセージを継続するものである。しかしながら、このメッセージ等の発生に対する応答をしなければ音量が漸次増大する結果、使用者にとって煩わしい物であるという問題点があった。
【課題を解決するための手段】
【０００６】
本考案の請求項１に係る生活リズム報知器は、居宅または介護施設等の室内に設置するものであり、所定形状の筐体に、一日の行動を報知する報知時間の設定および時間表示が可能な時計部、音声の録音と再生が可能であり音声および表示灯の点滅で行動を促す報知部、時間設定と音声設定を行う操作部、前記各機器を制御する制御部および電源が組み込まれている。
【０００７】
前記行動の報知設定時間になると、その行動を促すための音声報知および表示灯が点滅し、当該表示灯はリセットボタンが押されるまでは点滅が継続される。独居老人や軽度の認知症患者（以下、被看護者という）は、前記報知を聞き逃しても、表示灯が点滅しているので、当該表示灯を押して前記報知内容を再生することにより、いつでもその報知内容を聴くことができる。これにより、被看護者は、音声によって１日の生活リズムが指示されるので、生活リズムの意識付けと維持により行動することができる。
【０００８】
本考案の請求項２に係る生活リズム報知器は、前記筐体にウエブサーバ機能を内蔵したネットワークカメラが設けられている。これにより、被看護者を介護している家族、看護師、医者等（以下、看護者という）は、被看護者と離間した場所から、パソコンや携帯電話等を通じて被看護者の様子を映像（動画および静止画を含む）で見ることができるので、被看護者および看護者の不安や負担が軽減される。
【０００９】
本考案の請求項３に係る生活リズム報知器は、前記筐体に無線インターホンの子機が設けられている。無線インターホンには、子機からの呼出に限定される親子式と相互呼出式があるが、いずれも使用可能である。これにより、被看護者と看護者は随時会話ができるので、被看護者および看護者の不安や負担が軽減される。
【００１０】
本考案の請求項４に係る生活リズム報知器は、前記筐体にナースコールシステムに接続されたナースコール子機に、有線または無線通信する押しボタンスイッチが設けられている。これにより、被看護者は、前記押しボタンスイッチを押せば、ナースコール主装置および看護者の携帯型ナースコール子機を呼出すことができるので、看護者は被看護者への対応をスムーズに行うことが可能となり、被看護者および看護者の不安や負担が軽減される。
【考案の効果】
【００１１】
本考案の生活リズム報知器により、被看護者は音声によって１日の生活リズムが指示されるので、生活リズムの意識付けと維持をして行動することができる。また、ネットワークカメラにより、被看護者を看護している看護者は、被看護者と離間した場所から、パソコンや携帯電話等を通じて被看護者の様子を映像で見ることができるので、被看護者および看護者の不安や負担が軽減される。さらに、インターホンやナースコールシステムに組み込まれた押しボタンスイッチを押せば、被看護者は看護者との会話により被看護者への対応をスムーズに行えるので、被看護者および看護者の不安や負担が軽減される。
【図面の簡単な説明】
【００１２】
【図１】本考案の実施形態の一例を示す斜視図である。
【図２】本考案の実施形態の一例を示すブロック図である。
【図３】本考案の他の実施形態を示す斜視図である。
【図４】本考案のインターネットカメラシステムの構成図である。
【図５】本考案を用いたインターホンシステムの構成図である。
【図６】本考案を用いたナースコールシステムの構成図である。
【考案を実施するための形態】
【００１３】
（第一実施形態）
以下、本考案の実施形態について図面に基づき詳細に説明する。なお、各図面において、同一部材については同一符号で表示している。図１において、内部に機器類を収納する空間を有する方形の筐体の表面に、デジタル表示の時計１１が設けられている。当該時計１１は時間と分表示であり、時間調整ボタンＨと分調整ボタンＭが時計１１の下部に設けられている。
【００１４】
また、前記筐体の表面には、被看護者に報知するメッセージＮＯ．表示１２が設けられており、その下部には、当該メッセージＮＯ．表示１２を変えるＵＰボタン１２ａ、ＤＯＷＮボタン１２ｂおよびＭＯＤＥスイッチ１３が設けられている。ＵＰボタン１２ａを押すと表示が繰上り（図１では１０から１１となる）、ＤＯＷＮボタン１２ｂを押すと表示が繰り下がる（図１では１０から９となる）。ＭＯＤＥスイッチ１３は、セットと報知を切替するものであり、セットは報知するメッセージを新規登録または更新するもので、報知は新規登録または更新されたメッセージを報知するものである。
【００１５】
メッセージの内容は、数十件録音することが可能であり、被看護者の名前や愛称（例えば、○○さん、○○ちゃん）を含んだもので、被看護者に親しみをもって呼びかけて興味を示させるような文言としている。例えば、メッセージＮＯ．、報知時刻およびメッセージ文言の一例を表１に示す。
【００１６】
【表１】
0003170918.tif 000003
【００１７】
前記筐体の表面には、スピーカ１４、マイク１５、報知・リセットボタン１６、録音ボタン１７およびＰＬＡＹボタン１８が設けられている。スピーカ１４は、前記メッセージ文言を報知時刻に報知するもの、マイク１５は、前記メッセージ文言を録音するものである。報知・リセットボタン１６は、設定された報知時間にメッセージ文言が報知されると同時に点滅状態が継続し、被看護者にメッセージが報知されたことを気付かせる。被看護者が、点滅中の報知・リセットボタン１６を押すとメッセージが再生される。また、再生中に報知・リセットボタン１６を押すと、メッセージがリセットされて消灯する。
【００１８】
前記筐体の側面には、生活リズム報知器１の電源ＯＮ／ＯＦＦスイッチ２１、ＡＣアダプター入力端子２２、スピーカ１４のボリューム調節ボタン２３、および直流／交流切替スイッチ２４が設けられている。生活リズム報知器１は、使用時は２４時間電源ＯＮの状態であるが、いつでも電源をＯＦＦにすることが可能である。
【００１９】
前記筐体の底面には、電池２５（乾電池または充電電池）を収納する凹部が設けられている。本考案の生活リズム報知器１は、電池２５またはＡＣアダプター２６の２電源方式としているので、ＡＣアダプター２６を使用するときは直流／交流切替スイッチ２４を交流側にし、電池２５を使用するときは直流側とする。なお、ＡＣアダプター２６を使用するときに、ＡＣアダプター２６を優先使用するように設計することも可能である。
【００２０】
図２に基づいて本考案の生活リズム報知器の作用を説明する。１２はメッセージＮＯ．表示、１１は時計、２７は制御部（マイコン）、２８は音声チップ、２９は音声増幅器、１４はスピーカ、ＡＢはアドレスバス、ＤＢはデータバスである。
【００２１】
（メッセージの入力）
表１のメッセージＮＯ．１を入力する場合を例として説明する。ＭＯＤＥスイッチ１３をセット側に切替ると、デジタル表示の時計１１の時間が点滅するので、時間調整ボタンＨを回数押して６を表示させる。次に分調整ボタンＭを押すと分が点滅するので、分調整ボタンＭを回数押して００を表示させた後、ＭＯＤＥスイッチ１３を押すと６：００がセットされる。メッセージＮＯ．の新規登録は昇順に自動的に表示される。また、メッセージＮＯ．の内容を修正する場合は、ＵＰボタン１２ａまたはＤＯＷＮボタン１２ｂを回数押して目的とするＮＯ．を表示すればよい。
【００２２】
録音ボタン１７を押して、マイク１５に向かって「○○さん、お早うございます！よく眠れましたか」とメッセージを発声した後、録音ボタン１７を離すと当該メッセージの録音が終了する。メッセージＮＯ．２以降は、前記動作を繰り返すことにより録音できる。メッセージ入力終了後は、ＭＯＤＥスイッチ１３を報知側に切替える。
【００２３】
（メッセージの報知）
時計１１のデジタル表示が６：００になると、メッシージＮＯ．１がメッセージＮＯ．表示１２に表示されるとともに、スピーカ１４から「○○さん、お早うございます！よく眠れましたか」と報知される。この報知回数は１〜３回を選択することができる。スピーカ１４からメッセージが報知されると同時に、報知・リセットボタン１６が点滅して、報知があったことを被看護者に認識させる。したがって、被看護者が当該メッセージを聞き逃した場合でも、点滅している報知・リセットボタン１６を押すと当該メッセージを再生することができ、その再生中に当該報知・リセットボタン１６を押すとメッセージの報知が終了する。
【００２４】
（メッセージの再入力）
表１のメッセージＮＯ．２を再入力する場合を例として説明する。ＭＯＤＥスイッチ１３をセット側に切替ると、時計１１の時間が点滅するので、時間調整ボタンＨを回数押して６を表示させる。次に分調整ボタンＭを押すと分が点滅するので、分調整ボタンＭを回数押して３０を表示させた後、ＭＯＤＥスイッチ１３を押すと６：３０がセットされる。次に、メッセージＮＯ．表示１２のＵＰボタン１２ａまたはＤＯＷＮボタン１２ｂを回数押して目的とするＮＯ．２を表示する。
【００２５】
録音ボタン１７を押して、マイク１５に向かって「○○さん、トイレに行きましたか！」とメッセージを発声した後、録音ボタン１７を離すと当該メッセージが上書録音される。メッセージ入力終了後は、ＭＯＤＥスイッチ１３を報知側に切替る。
【００２６】
（第二実施形態）
図３において、生活リズム報知器１ａの筐体は内部に機器類を収納する空間を有する略Ｌ形に形成されている。筐体平面の高台には、ネットワークカメラ３１が設けられている。このネットワークカメラ３１は、上下左右回転とズームのリモコン操作が可能であり、例えば、ネットワークカメラ３１の仕様として、上下（チルト）は±１３５°、左右（パン）は±２７０°、ズームはデジタル１０倍のものがある。
【００２７】
筐体平面の斜面には、デジタル表示の時計１１が設けられている。当該時計１１は時間と分表示であり、その下部に時間と分を調整する時間調整ボタンＨと分調整ボタンＭが設けられている。また、前記時計１１の側部には、被看護者に報知するメッセージのメッセージＮＯ．をデジタル表示するメッセージＮＯ．表示１２が設けられており、その下部には、当該メッセージＮＯ．の表示を変えるＵＰボタン１２ａ、ＤＯＷＮボタン１２ｂが設けられている。メッセージＮＯ．の表示は直近のものが漸次表示され、図３では１８：３０にメッセージＮＯ．１０が報知されたことを示している。また、メッセージを報知するスピーカ１４と、メッセージの報知を知らせる報知・リセットボタン１６が設けられている。
【００２８】
スピーカ１４は、前記メッセージ文言を報知時刻に報知するもの、報知・リセットボタン１６は、設定された報知時刻にメッセージ文言が報知されると同時に点滅した状態が継続し、被看護者にメッセージが報知されたことを気付かせる。被看護者が、点滅中の報知・リセットボタン１６を押すとメッセージが再生される。また、再生中に報知・リセットボタン１６を押すと、メッセージがリセットされて消灯する。
【００２９】
筐体平面の低台には、メッセージを報知または録音するためのＭＯＤＥスイッチ１３、録音ボタン１７およびＰＬＡＹボタン１８、インターホン兼ナースコール押しボタンスイッチ３２が設けられており、筐体前面にはマイク１５が設けられている。ＭＯＤＥスイッチ１３は、セットと報知を切替するものであり、セットは報知するメッセージを新規登録または更新するもので、報知は新規登録または更新されたメッセージを報知するものである。インターホン兼ナースコール押しボタンスイッチ３２を押すと、当該スイッチ３２を押している間、インターホン親機４４またはナースコール主装置５２ならびに携帯型ナースコール子機５４と通信することができる。
【００３０】
筐体の側面には、アンテナ３５、電源ＯＮ／ＯＦＦスイッチ２１、報知・リセットボタン１６の点滅モード切替スイッチ３３、ナースコール接続ジャック３４、ネットワーク接続ジャック６１、電話回線用モジュラージャック６２、ＡＣアダプター入力端子２２が設けられている。アンテナ３５は、インターホン兼ナースコール押しボタンスイッチ３２を押したときの信号を、インターホン親機４４またはナースコール主装置５２ならびに携帯型ナースコール子機５４に送信するものである。報知・リセットボタン１６の点滅モード切替スイッチ３３は、設定された報知時刻にメッセージ内容が報知されると同時に点滅した状態を継続させるか、時限点滅させるかを切替るスイッチである。
【００３１】
ナースコール接続ジャック３４は、ナースコール押しボタンスイッチ（図示しない）を接続するもので、このナースコール押しボタンスイッチを押すと、アンテナ３５からナースコール子機５１に信号が送信される。ネットワーク６１接続ジャックは、ＬＡＮケーブル等を接続するもので、電話回線用モジュラージャック６２は、電話回線用ケーブルを接続するものである。
【００３２】
前記筐体の底面には、電池２５（乾電池または充電電池）を収納する凹部が設けられている。本考案の生活リズム報知器１ａは、電池２５またはＡＣアダプター２６の２電源方式としているので、ＡＣアダプター２６を使用するときは直流／交流切替スイッチ２４を交流側にし、電池２５を使用するときは直流側とする。なお、ＡＣアダプター２６を使用するときに、ＡＣアダプター２６を優先使用するように設計することも可能である。
【００３３】
図４は、本考案の生活リズム報知器１ａに組み込まれたネットワークカメラ３１の構成図である。図４において、ネットワークカメラ３１は、制御部３６、映像部３７、カメラ３８、カメラ駆動部３９より構成されており、生活リズム報知器１ａの制御部３６とインターフェイス（Ｉ／Ｆ）で接続され、また、ＷＥＢサーバー機能を有するインターフェイスを介してＬＡＮケーブルでインターネットに接続されている。そして、映像配信機能とＨＴＴＰプロトコルを使い、設置したネットワークカメラ３１の映像を、インターネットを通じて外部の携帯電話やパソコンから、ネットワークカメラ３１を上下左右回転およびズーム操作をして被看護者の様子を見ることができる。
【００３４】
図５は、インターホンが組み込まれたシステム構成図であり、太線部分がインターホンシステムを示している。図５において、３２はインターホン兼ナースコール押しボタンスイッチ、４１はトランシーバーチップ、４２はアンテナ、４３はモデムチップ、４４はインターホン親機（携帯電話）である。被看護者が看護者を呼出すためにインターホン兼ナースコール押しボタンスイッチ３２を押すと、制御部２７から呼出信号がトランシーバーチップ４１に伝送されてアンテナ４２から、看護者の携帯電話４４に無線送信される。一方、看護者が当該携帯電話４４にて応答すると、携帯電話４４のマイクおよびスピーカと生活リズム報知器１ａのマイク１５およびスピーカ１４とは、ＷＡＮ、インターフェイス、モデムチップ４３を介して通話ラインが形成され、この通話ラインを介して音声信号を送受信させることにより、看護者と被看護者との間で通話が成立する。また、図４に示すネットワークカメラ３１で撮像した被看護者の映像を確認しながら通話を行うことができる。
【００３５】
図６は、ナースコールシステムが組み込まれたシステム構成図であり、太線部分がナースコールシステムを示している。図６において、３２はインターホン兼ナースコール押しボタンスイッチ、５１はナースコール子機（中継器）、５２はナースコール主装置、５３は無線ユニット、５４は携帯型ナースコール子機である。被看護者が看護者を呼出すためにインターホン兼ナースコール押しボタンスイッチ３２を押すと、制御部２７からナースコール子機５１およびナースコール主装置５２を経由して、無線ユニット５３のアンテナ５５から看護者の携帯型ナースコール子機５４に無線送信される。
【００３６】
一方、看護者が当該携帯型ナースコール子機５４にて応答すると、携帯型ナースコール子機５４のマイクおよびスピーカと生活リズム報知器１ａのマイク１５およびスピーカ１４とは、ＬＡＮを介して通話ラインが形成され、この通話ラインを介して音声信号を送受信させることにより、携帯型ナースコール子機５４を携帯している看護者と被看護者との間で通話が成立する。また、図４に示すネットワークカメラ３１で撮像した被看護者の映像を確認しながら通話を行うことができる。なお、ナースコール子機５１と生活リズム報知器１ａ間は、無線または有線のいずれの方式としてもよい。
【符号の説明】
【００３７】
１，１ａ  生活リズム報知器、  １１  時計、  １２  メッセージＮＯ．表示
１２ａ  ＵＰボタン、  １２ｂ  ＤＯＷＮボタン、  １３  ＭＯＤＥスイッチ
１４  スピーカ、  １５  マイク、  １６  報知・リセットボタン
１７  録音ボタン、  １８  ＰＬＡＹボタン、  ２１  電源ＯＮ／ＯＦＦスイッチ
２２  ＡＣアダプター入力端子、  ２３  ボリューム調節ボタン
２４  直流／交流切替スイッチ、  ２５  電池、  ２６  ＡＣアダプター
２７  制御部（マイコン）、  ２８  音声チップ、  ２９  音声増幅器
３１  ネットワークカメラ、  ３２  インターホン兼ナースコール押しボタンスイッチ
３３  点滅モード切替スイッチ、  ３４  ナースコール接続ジャック
３５  アンテナ、  ３６  制御部、  ３７  映像部、  ３８  カメラ
３９  カメラ駆動部、  ４１  トランシーバーチップ、  ４２  アンテナ
４３  モデムチップ、  ４４  インターホン親機（携帯電話）
５１  ナースコール子機（中継器）、  ５２  ナースコール主装置
５３  無線ユニット、  ５４  携帯型ナースコール子機、  ５５  アンテナ
６１  ネットワーク接続ジャック、  ６２  電話回線用モジュラージャック
ＡＢ  アドレズバス、  ＤＢ  データバス、  Ｈ  時間ボタン、  Ｍ  分ボタン
【図１】
0003170918.tif 000004
【図２】
0003170918.tif 000005
【図３】
0003170918.tif 000006
【図４】
0003170918.tif 000007
【図５】
0003170918.tif 000008
【図６】
0003170918.tif 000009